(57)【要約】【課題】表示品位の良好な液晶表示装置を提供することを目的とする。【解決手段】  表示部６を有する液晶表示パネル２と、表示部６を照明する照明ユニット１５と、を備え、照明ユニット１５は、光源２１と、光源２１から出射された光が入射する入射面２２Ｃ１および入射面２２Ｃ１から窪むとともに入射面２２Ｃ１において導光体２２の厚さ方向Ｄ１と略直交する方向Ｄ２に延びる凹部２２Ｈを有する導光体２２と、を備えている。【選択図】図２
2010266544.tif 000002
【特許請求の範囲】
【請求項１】
表示部を有する液晶表示パネルと、
前記表示部を照明する照明ユニットと、を備え、
前記照明ユニットは、光源と、前記光源から出射された光が入射する入射面および前記入射面から窪むとともに前記入射面において前記導光体の厚さ方向と略直交する方向に延びる凹部を有する導光体と、を備えた液晶表示装置。
【請求項２】
前記凹部は、前記入射面と成す角が９０度より大きい複数の側端面を備えた請求項１に記載の液晶表示装置。
【請求項３】
前記凹部は、前記入射面または前記側端面と接続する曲面をさらに備え、
前記曲面に接する面は、前記入射面と成す角が９０度以上または前記入射面と平行である請求項２に記載の液晶表示装置。
【請求項４】
前記凹部は、前記入射面と接続された少なくとも１つの曲面の側端面を備え、
前記曲面に接する面は、前記入射面と成す角が９０度以上または前記入射面と平行である請求項１に記載の液晶表示装置。
【請求項５】
前記凹部は、前記導光体の厚さ方向に並んだ第１凹部と、第２凹部と、を有し、
前記第１凹部の前記導光体の厚さ方向の幅は、前記第２凹部の前記導光体の厚さ方向の幅と異なる請求項１に記載の液晶表示装置。
【請求項６】
前記凹部は、前記導光体の厚さ方向に並んだ第１凹部と、前記第１凹部に隣接する第２凹部と、第３凹部と、前記第３凹部に隣接する第４凹部と、を有し、
前記第１凹部と前記第２凹部との間の前記導光体の厚さ方向の距離は、前記第３凹部と前記第４凹部との間の前記導光体の厚さ方向の距離と異なる請求項１に記載の液晶表示装置。
【発明の詳細な説明】
【技術分野】
【０００１】
本発明は、液晶表示装置に関する。
【背景技術】
【０００２】
透過型や半透過型の液晶表示装置は、透過型あるいは半透過型の液晶表示パネルおよび液晶表示パネルの背面側に配置された照明ユニット（すなわちバックライト）を備えて構成されている。
【０００３】
このような液晶表示装置には、液晶表示パネルと対向する主平面およびこの主平面と略直交する側面を備えた導光体と、この導光体の側面に沿って配置された光源と、を備えた照明ユニットが実用化されている。このような照明ユニットでは、光源として、例えば発光ダイオードや冷陰極管等が用いられる。
【０００４】
例えば特許文献１に、光源として発光ダイオードを採用したサイドライト型面光源装置が開示されている。特許文献１には、発光ダイオードから出射された光は、直進性が強いため、導光体に入射光を隅部まで均一に配光することを目的として、導光体の入射面の両端面の両端領域のみに、中央領域から離間するに従って大きくなり、外部に対して面状に突出し、断面が入射面と直交する方向において略半円形状である突起を設けたサイドライト型面光源装置の構成が開示されている。
【先行技術文献】
【特許文献】
【０００５】
【特許文献１】特開２００８−１０３１６２号公報
【発明の概要】
【発明が解決しようとする課題】
【０００６】
しかしながら、このような構成において、分散発光する発光ダイオード、例えば、レンズ付き発光ダイオードを光源として用いると、導光体の厚さ方向にも光源から出射された出射光が分散してしまうことがある。これにより、光源から出射した光は、光源に近い領域で光量が使われ、光源から遠い領域で光量が足りなくなってしまうことがある。そして、このことにより、導光体の出射面から均一な光が出射されないことがあった。このような導光体を有する照明ユニットを搭載した液晶表示装置においては、表示品位の劣化を招いてしまうことがあった。
【０００７】
この発明は、上述した問題点に鑑みなされたものであって、その目的は、表示品位の良好な液晶表示装置を提供することにある。
【課題を解決するための手段】
【０００８】
この発明の態様による液晶表示装置は、表示部を有する液晶表示パネルと、前記表示部を照明する照明ユニットと、を備え、前記照明ユニットは、光源と、前記光源から出射された光が入射する入射面および前記入射面から窪むとともに前記入射面において前記導光体の厚さ方向と略直交する方向に延びる凹部を有する導光体と、を備えている。
【発明の効果】
【０００９】
本発明によれば、表示品位の良好な液晶表示装置を提供することができる。
【図面の簡単な説明】
【００１０】
【図１】図１は、この発明の一実施形態に係る液晶表示装置の一構成例を概略的に示す平面図である。
【図２】図２は、図１に示した液晶表示装置の構造を概略的に示す断面図である。
【図３】図３は、図１および図２に示した照明ユニットの導光体の一構造例を概略的に示す斜視図である。
【図４】図４は、図３に示した導光体の凹部の一部の構造を示す断面図である。
【図５】図５は、図４に示した凹部を有する導光体を備えた液晶表示装置の効果を説明するための図である。
【図６】図６は、導光体の凹部の他の構造の一部を示す断面図である。
【図７】図７は、導光体の凹部の他の構造の一部を示す断面図である。
【図８】図８は、導光体の凹部の他の構造の一部を示す断面図である。
【図９】図９は、導光体の凹部の他の構造の一部を示す断面図である。
【図１０】図１０は、導光体の凹部の他の構造の一部を示す断面図である。
【図１１】図１１は、導光体の凹部の他の構造の一部を示す断面図である。
【図１２】図１２は、導光体の凹部の他の構造の一部を示す断面図である。
【発明を実施するための形態】
【００１１】
以下、本発明の一態様について、図面を参照しながら詳細に説明する。ここでは、照明ユニットからの光を選択的に透過して画像を表示する透過型の液晶表示装置について説明する。なお、各図において、同一または類似した機能を発揮する構成要素には同一の参照符号を付し、重複する説明は省略する。
【００１２】
図１に示すように、液晶表示装置１は、表示部６を有する略矩形平板状の液晶表示パネル２と、液晶表示パネル２の表示部６を照明する照明ユニット１５と、照明ユニット１５を備えている。
【００１３】
この液晶表示パネル２は、略矩形状のアレイ基板３および対向基板４と、これらのアレイ基板３と対向基板４との間に封入された液晶層５と、を備えている。アレイ基板３と対向基板４とは、表示部６を囲むように配置されたシール材（図示しない）を介して貼り合わせられている。
【００１４】
アレイ基板３は、表示部６において、複数の走査線Ｙ（１、２、…）、複数の信号線Ｘ（１、２、…）、各画素ＰＸに配置されたスイッチング素子７、各画素ＰＸのスイッチング素子７に接続された画素電極８などを備えている。画素電極８は、インジウム・ティン・オキサイド（ＩＴＯ）やインジウム・ジンク・オキサイド（ＩＺＯ）などの光透過性を有する導電材料によって形成されている。
【００１５】
各走査線Ｙは、画素ＰＸの行方向に沿って延出している。各信号線Ｘは、絶縁層（図示しない）を介して各走査線Ｙに互いに交差するように、画素ＰＸの列方向に沿って延出している。各スイッチング素子７は、走査線Ｙと信号線Ｘとの交差部を含む領域に配置されている。
【００１６】
このスイッチング素子７は、例えば、アモルファスシリコンやポリシリコンなどによって形成された半導体層を備えた薄膜トランジスタ（Thin Film Transistor；ＴＦＴ）などで構成されている。このスイッチング素子７のゲート電極７Ｇは、対応する走査線Ｙに電気的に接続されている（あるいは走査線と一体に形成されている）。スイッチング素子７のソース電極７Ｓは、対応する信号線Ｘに電気的に接続されている（あるいは信号線と一体に形成されている）。スイッチング素子７のドレイン電極７Ｄは、対応する画素ＰＸの画素電極８に電気的に接続されている。
【００１７】
画素電極８との間の電位差により液晶層５に電圧を印加するためのコモン電極９は、アレイ基板３に備えられても良いし、対向基板４に備えられても良い。すなわち、横電界（基板の液晶層５に対向する主面にほぼ平行な電界）を主として利用する横電界モードでは、アレイ基板３は、画素電極８とは電気的に絶縁され且つ画素電極８に対向するコモン電極９を備えている。また、縦電界（基板の液晶層５に対向する主面にほぼ垂直な電界）を主として利用する縦電界モードでは、対向基板４は、液晶層５を介して画素電極８に対向するコモン電極９を備えている。このようなコモン電極９は、画素電極８と同様に、光透過性を有する導電材料によって形成されている。
【００１８】
アレイ基板３および対向基板４の液晶層５と接する面は、それぞれ配向膜（図示しない）によって覆われている。これらのアレイ基板３および対向基板４は、スペーサ（図示しない）を介して、それぞれの配向膜を対向させた状態で貼り合わせられている。このとき、アレイ基板３と対向基板４との間には、スペーサによって所定のギャップが形成されている。液晶層５は、アレイ基板３と対向基板４とのギャップに封止された液晶組成物によって形成されている。
【００１９】
また、液晶表示パネル２において、アレイ基板３の外面および対向基板４の外面には、それぞれ光学素子ＯＤ１およびＯＤ２が設けられている。これらの光学素子ＯＤ１およびＯＤ２は、液晶層５の特性に合わせて偏光方向を設定した偏光板を含んでいる。また、光学素子ＯＤ１およびＯＤ２は、必要に応じて位相差板を含んでいても良い。
【００２０】
カラー表示タイプの液晶表示装置では、液晶表示パネル２は、表示部６において、複数種類の画素、例えば、赤（Ｒ）を表示する赤色画素、緑（Ｇ）を表示する緑色画素、青（Ｂ）を表示する青色画素を有している。すなわち、赤色画素は、赤色の主波長の光を透過する赤色カラーフィルタを備えている。緑色画素は、緑色の主波長の光を透過する緑色カラーフィルタを備えている。青色画素は、青色の主波長の光を透過する青色カラーフィルタを備えている。これらカラーフィルタは、アレイ基板３または対向基板４の主面に配置される。
【００２１】
液晶表示装置１は、矩形枠状のベゼルカバー１１を備えている。このベゼルカバー１１は、液晶表示パネル２の表示部６を露出させる矩形状の窓部１１Ａおよび窓部１１Ａを規定する矩形枠状の本体部１１Ｂを備えている。
【００２２】
上述したような構成の液晶表示パネル２は、照明ユニット１５とベゼルカバー１１との間に挟持されている。このとき、照明ユニット１５は、その表面を液晶表示パネル２の背面側（すなわち、アレイ基板３側）に対向させた状態で配置され、液晶表示パネル２を背面側から照明する。
【００２３】
図２に示すように、照明ユニット１５は、光源２１、導光体２２、配線基板２３、フレーム２４、光学シート２６などを備えている。
【００２４】
ここでは、光源２１は、発光ダイオード（Light Emitting Diode；ＬＥＤ）２１Ａを備えている。発光ダイオード２１Ａは、例えば、レンズ付き発光ダイオードである。発光ダイオード２１Ａからの出射光は、所定の発散角で分散発光する。
【００２５】
導光体２２は、発光ダイオード２１Ａからの出射光を液晶表示パネル２に向けて案内する機能を有している。この導光体２２は、例えば、アクリル系樹脂やポリカーボネート系樹脂などの光透過性を有する樹脂材料により形成されている。
【００２６】
導光体２２は、その一端に肉薄部を有するとともに肉薄部に対向する他端に肉厚部を有する楔型のものや、全体に亘って略均一な厚さを有する平板型のものなどがあるが、この実施の形態では、矩形平板型のものを採用している。
【００２７】
この導光体２２は、液晶表示パネル２側に面する矩形状の第１主平面２２Ａと、この第１主平面２２Ａに対向した矩形状の第２主平面２２Ｂと、これらの第１主平面２２Ａと第２主平面２２Ｂとを接続する４つの長方形状の端面２２Ｃとを有している。一端面２２Ｃ１は、光源２１から出射された光が入射する入射面である。また、第１主平面２２Ａは、液晶表示パネル２に向けて光を出射する出射面である。
【００２８】
フレーム２４は、主に導光体２２を保持するように構成されている。このフレーム２４は、樹脂材料によって形成されている。
【００２９】
図３に示すように、光源２１用の配線基板２３には、複数の発光ダイオード２１Ａが所定の間隔をおいて一列に並んで実装されている。配線基板２３は、発光ダイオード２１Ａから出射される光の発光面が導光体２２の入射面２２Ｃ１に対向するように、導光体２２に貼り付けられている。また、配線基板２３には、光源２１に信号を供給するためのコネクタ２３Ａが接続されている。
【００３０】
光学シート２６としては、液晶表示パネル２と導光体２２の出射面２２Ａとの間に配置された光学シート２６Ａおよびバックカバー２５と導光体２２の第２主平面２２Ｂとの間に配置された光学シート２６Ｂが備えられている。
【００３１】
光学シート２６Ａは、例えば、集光シートや拡散シートなどであり、導光体２２から出射した光に対して所定の光学特性を付与して液晶表示パネル２に導く。光学シート２６Ｂは、反射シートであり、導光体２２の第２主平面２２Ｂから漏れ出た光を再び導光体２２に向けて反射する。
【００３２】
バックカバー２５は、照明ユニット１５の背面に対向するように配置されている。バックカバー２５は、概ね箱型に形成され、光源２１や導光体２２などを収納可能である。
【００３３】
ところで、導光体２２は、入射面２２Ｃ１から窪んだ凹部２２Ｈを有している。凹部２２Ｈは、入射面２２Ｃ１から、入射面２２Ｃ１に対向する端面２２Ｃ２に向かって窪んでいる。
【００３４】
この凹部２２Ｈは、入射面２２Ｃ１において、導光体２２の厚さ方向Ｄ１に略直交する方向Ｄ２と平行に延びている。ここでは、導光体２２は、複数の凹部２２Ｈを有している。凹部２２Ｈは、導光体２２の厚さ方向Ｄ１に並んでいる。このような凹部２２Ｈは、照明ユニット１５と液晶表示パネル２とが重なった際に、表示部６に重ならないように形成されている。
【００３５】
第１実施形態において、凹部２２Ｈは、複数の側端面２２Ｔを備えている。それぞれの側端面２２Ｔは、入射面２２Ｃ１と成す角θ１が９０度より大きい。
【００３６】
図４に示した例では、２つの側端面２２Ｔ（第１側端面２２Ｔ１、第２側端面２２Ｔ２）を備えている。第１側端面２２Ｔ１および第２側端面２２Ｔ２は、入射面２２Ｃ１と成す角が鈍角である。第１側端面２２Ｔ１と第２側端面２２Ｔ２とは、接続されている。つまり、導光体２２の光源２１と対向する部分は、三角柱を切り欠いた形状である。
【００３７】
具体的には、導光体２２は、出射面２２Ａ側から順に第１凹部２２Ｈ１、第２凹部２２Ｈ２、第３凹部２２Ｈ３を有している。第１凹部２２Ｈ１の第１側端面２２Ｔ１は、入射面２２Ｃ１と第１凹部２２Ｈ１の第２側端面２２Ｔ２接続されている。第１凹部２２Ｈ１の第２側端面２２Ｔ２は、第１凹部２２Ｈ１の第１側端面２２Ｔ１と第２凹部２２Ｈ２の第１側端面２２Ｔ１に接続されている。
【００３８】
第２凹部の第１側端面２２Ｔ１は、第１凹部２２Ｈ１の第２側端面２２Ｔ２と第２凹部２２Ｈ２の第２側端面２２Ｔ２に接続されている。第２凹部２２Ｈ２の第２側端面２２Ｔ２は、第２凹部２２Ｈ２の第１側端面２２Ｔ１と第３凹部２２Ｈ３の第１側端面２２Ｔ１と接続されている。
【００３９】
このような構成において、図５に示すように、光源２１から出射された出射光２１Ｌは、凹部２２Ｈの第１側端面２２Ｔ１および第２側端面２２Ｔ２が入射面２２Ｃ１と成す角θ１が９０度より大きいため、凹部２２Ｈの第１側端面２２Ｔ１および第２側端面２２Ｔ２で屈折されることによって、集光される。
【００４０】
これにより、導光体２２の厚さ方向Ｄ１において、導光体２２の光源２１に近い領域で出射光２１Ｌが分散することを抑制することが可能となり、光源２１に近い領域のみで光量が使われることを抑制することができる。これにより、導光体２２の光源２１から遠い領域まで、光源２１からの出射光２１Ｌが導かれ、光源から遠い領域でも光量を使うことが可能となる。つまり、導光体２２の光源２１から近い領域に対して、導光体２２の光源２１から遠い領域が暗くなることがなく、導光体２２から均一な光を出射可能となる。したがって、このような導光体２２を有する照明ユニット１５を搭載した液晶表示装置１において、表示品位の劣化を防止することが可能となる。
【００４１】
なお、図６に示した例では、第１凹部２２Ｈ１の第１側端面２２Ｔ１は、入射面２２Ｃ１と平行である。第１側端面２２Ｔ１は、出射面２２Ａと第１凹部２２Ｈ１の第２側端面２２Ｔ２と接続されている。このような構成においても、導光体２２の厚さ方向Ｄ１において、光源２１からの出射光の分散を防ぐことが可能となり、第１実施形態と同様の効果が得られる。
【００４２】
なお、図７に示した例では、凹部２２Ｈは、３つの側端面２２Ｔ（第１側端面２２Ｔ１、第２側端面２２Ｔ２、第３側端面２２Ｔ３）を備えている。第１側端面２２Ｔ１および第３側端面２２Ｔ３は、入射面２２Ｃ１と成す角が鈍角である。第２側端面２２Ｔ２は、入射面２２Ｃ１と平行である。つまり、導光体２２の光源２１と対向する部分は、底面が台形の四角柱を切り欠いた形状である。
【００４３】
具体的には、凹部２２Ｈの第１側端面２２Ｔ１は、入射面２２Ｃ１と第２側端面２２Ｔ２と接続されている。第２側端面２２Ｔ２は、第１側端面２２Ｔ１と第２側端面２２Ｔ３と接続されている。第３側端面２２Ｔ３は、第２側端面２２Ｔ２と入射面２２Ｃ１と接続されている。このような構成においても、導光体２２の厚さ方向Ｄ１において、光源２１からの出射光の分散を防ぐことが可能となり、第１実施形態と同様の効果が得られる。
【００４４】
なお、ここでは、凹部２２Ｈが２つおよび３つの側端面２２Ｔを備えている例について説明したが、この例に限らず、凹部２２Ｈが複数の側端面２２Ｔを備えていても同様の効果が得られる。また、複数の凹部２２Ｈが導光体２２の厚さ方向Ｄ１に並んだ例を説明したが、凹部２２Ｈは、少なくとも１つ有していればよい。
【００４５】
次に第２実施形態について説明する。なお、第１実施形態に係る液晶表示装置と同様の構成については、同一の符号を付して説明を省略する。
【００４６】
第２実施形態において、凹部２２Ｈは、側端面２２Ｔの他に、さらに曲面２２Ｕを備えている。この曲面２２Ｕは、入射面２２Ｃ１または側端面２２Ｔに接続される。曲面２２Ｕに接する面２２ＵＡは、入射面２２Ｃ１と成す角θ２が９０度以上または入射面２２Ｃ１と平行である。
【００４７】
図８に示した例では、凹部２２Ｈは、２つの側端面２２Ｔ（第１側端面２２Ｔ１、第２側端面２２Ｔ２）および１つの曲面２２Ｕを備えている。それぞれの第１側端面２２Ｔ１および第２側端面２２Ｔ２は、入射面２２Ｃ１と成す角θ１が鈍角である。曲面２２Ｕに接する面２２ＵＡ１は、入射面２２Ｃ１と成す角θ２が鈍角である。また、曲面２２Ｕに接する面２２ＵＡ２は、入射面２２Ｃ１と平行である。ここでは、２つの曲面２２Ｕに接する面２２ＵＡ１、２２ＵＡ２のみを図示しているが、他の点に接する面２２ＵＡも入射面２２Ｃ１と成す角θ２が９０度以上または入射面２２Ｃ１と平行である。
【００４８】
具体的には、凹部２２Ｈの第１側端面２２Ｔ１は、入射面２２Ｃ１と曲面２２Ｕと接続されている。曲面２２Ｕは、第１側端面２２Ｔ１と第２側端面２２Ｔ２と接続されている。第２側端面２２Ｔ２は、曲面２２Ｕと入射面２２Ｃ１と接続されている。
【００４９】
このような構成においても、光源からの出射光は、凹部２２Ｈの第１側端面２２Ｔ１および第２側端面２２Ｔ２で屈折されることによって、集光される。さらに、光源２１からの出射光は、曲面２２Ｕと接する面２２ＵＡが入射面２２Ｃ１と成す角θ２が９０度以上または入射面２２Ｃ１と平行であるため、凹部２２Ｈの曲面２２Ｕで屈折されることによって、集光される。つまり、導光体２２の厚さ方向Ｄ１において、光源２１からの出射光の分散を防ぐことが可能となり、第１実施形態と同様の効果が得られる。
【００５０】
なお、図９に示した例では、凹部２２Ｈは、１つの側端面２２Ｔ、２つの曲面２２Ｕ（第１曲面２２Ｕ１、２２Ｕ２）を備えている。側端面２２Ｔは、入射面２２Ｃ１と平行である。具体的には、凹部２２Ｈの第１曲面２２Ｕ１は、入射面２２Ｃ１と凹部２２Ｈの側端面２２Ｔと接続されている。
【００５１】
凹部２２Ｈの側端面２２Ｔは、凹部２２Ｈの第１曲面２２Ｕ１と第２曲面２２Ｕ２と接続されている。凹部２２Ｈの第２曲面２２Ｕ２は、側端面２２Ｔと入射面２２Ｃ１と接続されている。このような構成においても、導光体２２の厚さ方向Ｄ１において、光源２１からの出射光の分散を防ぐことが可能となり、第１実施形態と同様の効果が得られる。
【００５２】
また、図９に示した例では、第１主平面２２Ａに最も近い凹部２２Ｈは、１つの側端面２２Ｔ１および１つの曲面２２Ｕを備えている。側端面２２Ｔは、入射面２２Ｃ１と平行である。側端面２２Ｔは、第１主平面２２Ａと凹部２２Ｈの曲面２２Ｕと接続されている。
【００５３】
曲面２２Ｕは、側端面と隣接する凹部の第１曲面２２Ｕ１に接続されている。このような構成においても、導光体２２の厚さ方向Ｄ１において、光源２１からの出射光の分散を防ぐことが可能となり、第１実施形態と同様の効果が得られる。
【００５４】
なお、ここでは、凹部２２Ｈが２つの側端面２２Ｔと、１つおよび２つの曲面２２Ｕとを備えた例を説明したが、この例に限らず、凹部２２Ｈが１つ以上の側端面２２Ｔおよび１つ以上の曲面２２Ｕを備えていれば同様の効果が得られる。また、複数の凹部２２Ｈが導光体２２の厚さ方向Ｄ１に並んだ例を説明したが、凹部２２Ｈは、少なくとも１つ有していればよい。
【００５５】
次に、第３実施形態について説明する。なお、第１実施形態に係る液晶表示装置と同様の構成については、同一の符号を付して説明を省略する。
【００５６】
第３実施形態において、凹部２２Ｈは、少なくとも１つの曲面２２Ｕを備えている。この曲面２２Ｕに接する面２２ＵＡは、入射面２２Ｃ１と成す角θ２が９０度以上または入射面２２Ｃ１と平行である。
【００５７】
図１０に示した例では、凹部２２Ｈは、１つの曲面２２Ｕを備えている。曲面２２Ｕは、入射面２２Ｃ１と接続されている。曲面２２Ｕに接する面２２ＵＡ１は、入射面２２Ｃ１と成す角θ２が鈍角である。また、曲面２２Ｕに接する面２２ＵＡ２は、入射面２２Ｃ１と平行である。ここでは、２つの曲面２２Ｕに接する面２２ＵＡ１、２２ＵＡ２のみを図示しているが、他の点に接する面２２ＵＡも入射面２２Ｃ１と成す角θ２が９０度以上または入射面２２Ｃ１と平行である。
【００５８】
このような構成においても、光源２１からの出射光は、曲面２２Ｕと接する面２２ＵＡが入射面２２Ｃ１と成す角θ２が９０度以上または入射面２１Ｃと平行であるため、凹部２２Ｈの曲面２２Ｕで屈折されることによって、集光される。つまり、導光体２２の厚さ方向Ｄ１において、光源２１からの出射光の分散を防ぐことが可能となり、第１実施形態と同様の効果が得られる。
【００５９】
なお、ここでは、凹部２２Ｈが１つの曲面２２Ｕを備えた例を説明したが、この例に限らず、凹部２２Ｈが複数の曲面２２Ｕを備えていても同様の効果が得られる。また、複数の凹部２２Ｈが導光体２２の厚さ方向Ｄ１に並んだ例を説明したが、凹部２２Ｈは、少なくとも１つ有していればよい。
【００６０】
次に、第４実施形態について説明する。なお、第１実施形態に係る液晶表示装置と同様の構成については、同一の符号を付して説明を省略する。
【００６１】
第４実施形態において、導光体２２は、第１凹部２２Ｈ１および第２凹部２２Ｈ２有している。図１１に示した例では、第１凹部２２Ｈ１の導光体２２の厚さ方向Ｄ１の幅Ｗ１は、第２凹部２２Ｈ２の導光体２２の厚さ方向Ｄ１の幅Ｗ２より大きい。このような構成においても、導光体２２の厚さ方向Ｄ１において、光源２１からの出射光の分散を防ぐことが可能となり、第１実施形態と同様な効果が得られる。
【００６２】
また、第１凹部２２Ｈの導光体２２の厚さ方向Ｄ１および導光体２２の厚さ方向Ｄ１に略直交する方向Ｄ２と略直交する方向Ｄ３の高さＨ１は、第２凹部２２Ｈ２の導光体２２の厚さ方向Ｄ１に略直交する方向Ｄ３の高さＨ２より大きい。このような構成においても、導光体２２の厚さ方向Ｄ１において、光源２１からの出射光の分散を防ぐことが可能となり、第１実施形態と同様の効果が得られる。
【００６３】
なお、ここでは、凹部２２Ｈの形状として第１実施形態の凹部の形状を例に説明したが、この例に限らず、凹部２２Ｈが他の形状であっても同様の効果が得られる。
【００６４】
次に、第５実施形態について説明する。なお、第１実施形態に係る液晶表示装置と同様の構成については、同一の符号を付して説明を省略する。
【００６５】
第５実施形態において、図１２に示すように、導光体２２は、第１凹部２２Ｈ１、第２凹部２２Ｈ２、第３凹部２２Ｈ３および第４凹部２２Ｈ４を備えている。第１凹部２２Ｈ１は、第２凹部２２Ｈ２と隣接する。第３凹部２２Ｈ３は、第４凹部２２Ｈ４と隣接する。第１凹部２２Ｈ１と第２凹部２２Ｈ２との間の導光体２２の厚さ方向Ｄ１の距離Ｌ１は、第３凹部２２Ｈ３と第４凹部２２Ｈ４との間の導光体２２の厚さ方向Ｄ１の距離Ｌ２より小さい。このような構成においても、導光体２２の厚さ方向Ｄ１において、光源２１からの出射光の分散を防ぐことが可能となり、第１実施形態と同様な効果が得られる。
【００６６】
なお、ここでは、凹部２２Ｈの形状として第１実施形態の凹部の形状を例に説明したが、この例に限らず、凹部２２Ｈが他の形状であっても同様の効果が得られる。
【００６７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００６８】
例えば、導光体２２は、複数の凹部２２Ｈとして、第１実施形態乃至第３実施形態における凹部２２Ｈを組み合わせても、同様の効果が得られる。また、光源２１として発光ダイオード２１Ａを用いた例を説明したがこの例に限らず、他の光源を使ってもよい。
【符号の説明】
【００６９】
２…液晶表示パネル  ６…表示部  照明ユニット１５  ２１…光源  ２２Ｃ１…入射面  ２２…導光体  Ｄ１…厚さ方向  Ｄ２…厚さ方向と略直交する方向  ２２Ｈ…凹部
【図１】
2010266544.tif 000003
【図２】
2010266544.tif 000004
【図３】
2010266544.tif 000005
【図４】
2010266544.tif 000006
【図５】
2010266544.tif 000007
【図６】
2010266544.tif 000008
【図７】
2010266544.tif 000009
【図８】
2010266544.tif 000010
【図９】
2010266544.tif 000011
【図１０】
2010266544.tif 000012
【図１１】
2010266544.tif 000013
【図１２】
2010266544.tif 000014